(57)【要約】【課題】  搭載方向が異なる場合があってもブラケットを簡素化することが可能な電動ポンプの取付構造を提供すること。【解決手段】  電動ポンプ１を、ブラケット５を介してボディ構造体９０の取付部９１に取り付ける場合には、ブラケット５をモータハウジング２３の回転軸方向端部の突出部２３１に嵌合係止するとともに、隔壁２２の第１雌螺子部２２４に螺子止め係止する。  また、電動ポンプ１を逆方向の取付部に取り付ける場合には、ブラケット５をモータハウジング２３の突出部２３１に嵌合係止するとともに、隔壁２２の第２雌螺子部２２５に螺子止め係止する。【選択図】        図１
2007023939.tif 000002
【特許請求の範囲】
【請求項１】
ポンプ部（３）と、
前記ポンプ部（３）を駆動する電動モータ（４）と、
前記ポンプ部（３）および前記電動モータ（４）を収納するハウジング（２）とを有し、
前記ハウジング（２）に係止されるブラケット（５）を介して構造体（９０）の取付部（９１）に取り付けられる電動ポンプ（１）であって、
前記ハウジング（２）は、前記電動モータ（４）の回転軸（４１）方向（Ｘ）に沿った側面部位（２２２、２２３）に、複数の前記取付部（９１、９２）の方向に対応して、前記ブラケット（５）を螺子止め係止する螺子止め係止部（２２４、２２５）をそれぞれ備えることを特徴とする電動ポンプ。
【請求項２】
前記ハウジング（２）は、
前記螺子止め係止部（２２４、２２５）からなる第１係止部（２２４、２２５）と、
前記ブラケット（５）を前記第１係止部（２２４、２２５）とは異なる位置で係止する第２係止部（２３１）とを備えることを特徴とする請求項１に記載の電動ポンプ。
【請求項３】
前記第２係止部（２３１）は、前記回転軸方向（Ｘ）の端部に形成されていることを特徴とする請求項２に記載の電動ポンプ。
【請求項４】
前記複数の取付部（９１、９２）の方向に対応してそれぞれ設けられた前記第１係止部（２２４、２２５）のいずれで前記ブラケット（５）を係止する場合であっても、
前記ブラケット（５）は同一の前記第２係止部（２３１）で係止されることを特徴とする請求項２または請求項３に記載の電動ポンプ。
【請求項５】
前記第２係止部（２３１）は、前記ブラケット（５）を嵌合係止することを特徴とする請求項２ないし請求項４のいずれか１つに記載の電動ポンプ。
【請求項６】
前記第２係止部（２３１）は、内部に前記電動モータ（４）の回転軸（４１）を受ける軸受部（４２）が設けられた突出部（２３１）であることを特徴とする請求項５に記載の電動ポンプ。
【請求項７】
前記第１係止部（２２４、２２５）は、前記回転軸方向（Ｘ）における略重心（Ｇ）位置に形成されていることを特徴とする請求項１ないし請求項６のいずれか１つに記載の電動ポンプ。
【請求項８】
ポンプ部（３）とこのポンプ部（３）を駆動する電動モータ（４）とを収納するハウジング（２）に係止されるブラケット（５）を介して構造体（９０）の取付部（９１）に取り付けられる電動ポンプ（１）の取付構造であって、
前記ハウジング（２）は、前記電動モータ（４）回転軸（４１）方向（Ｘ）に沿った側面部位（２２２、２２３）に、複数の前記取付部（９１、９２）方向にそれぞれ対応した螺子止め係止部（２２４、２２５）を備え、これらの螺子止め係止部（２２４、２２５）のうち、前記ブラケット（５）を取り付ける前記取付部（９１）に対応した螺子止め係止部（２２４）に前記ブラケット（５）を螺子止め係止したことを特徴とする電動ポンプの取付構造。
【請求項９】
前記ハウジング（２）は、前記螺子止め係止部（２２４、２２５）からなる第１係止部（２２４、２２５）と、前記第１係止部（２２４、２２５）とは異なる位置に設けた第２係止部（２３１）とを備え、
前記ブラケット（５）を、前記第１係止部（２２４）および前記第２係止部（２３１）に係止したことを特徴とする請求項８に記載の電動ポンプの取付構造。
【請求項１０】
前記第２係止部（２３１）は、前記回転軸方向（Ｘ）の端部に形成されていることを特徴とする請求項９に記載の電動ポンプの取付構造。
【請求項１１】
前記ブラケット（５）を、前記ブラケット（５）を取り付ける前記取付部（９１、９２）に対応した前記第１係止部（２２４、２２５）に係止するとともに、
前記ブラケット（５）を係止した第１係止部（２２４、２２５）がいずれかに係らず、前記ブラケット（５）を、同一の第２係止部（２３１）に係止したことを特徴とする請求項９または請求項１０に記載の電動ポンプの取付構造。
【請求項１２】
前記第２係止部（２３１）では、前記ブラケット（５）を嵌合係止したことを特徴とする請求項９ないし請求項１１のいずれか１つに記載の電動ポンプの取付構造。
【請求項１３】
前記第２係止部（２３１）では、内部に前記電動モータ（４）の回転軸（４１）を受ける軸受部（４２）が設けられた突出部（２３１）に前記ブラケット（５）を嵌合係止したことを特徴とする請求項１２に記載の電動ポンプの取付構造。
【請求項１４】
前記第１係止部（２２４、２２５）を前記回転軸方向（Ｘ）における前記電動ポンプ（１）の略重心（Ｇ）位置としたことを特徴とする請求項８ないし請求項１３のいずれか１つに記載の電動ポンプの取付構造。
【請求項１５】
前記ブラケット（５）は、前記取付部（９１）に螺子止め係止されるとともに、螺子止め箇所（５３１、９１ａ）を中心とした回転を抑止する回り止め係止されていることを特徴とする請求項８ないし請求項１４のいずれか１つに記載の電動ポンプの取付構造。
【請求項１６】
前記ブラケット（５）は、屈曲した板材からなり、屈曲部（５５、５６、５７）には補強リブ（５５１、５６１、５７１）が設けられていることを特徴とする請求項８ないし請求項１５のいずれか１つに記載の電動ポンプの取付構造。
【請求項１７】
電動ポンプ（１）のハウジング（２）に係止されるとともに、構造体（９０）の取付部（９１）に係止されて、前記電動ポンプ（１）を前記取付部（９１）に取り付ける電動ポンプ取付用のブラケットであって、
前記ハウジング（２）の前記電動モータ（４）回転軸方向（Ｘ）に沿った側面部位（２２２、２２３）に複数の前記取付部（９１、９２）方向にそれぞれ対応して設けられた螺子止め係止部（２２４、２２５）のいずれかに、係止するために設けられた係止構造部（５１１）を備えることを特徴とするブラケット。
【請求項１８】
前記ハウジング（２）の前記螺子止め係止部（２２４、２２５）からなる第１係止部（２２４、２２５）と係止するために設けられた前記係止構造部（５１１）からなる第１係止構造部（５１１）と、
前記ハウジング（２）の前記第１係止部（２２４、２２５）とは異なる位置に設けた第２係止部（２３１）と係止するために設けられた第２係止構造部（５４１）とを備えることを特徴とする請求項１７に記載のブラケット。
【請求項１９】
前記第２係止構造部（５４１）は、前記ハウジング（２）の前記回転軸方向（Ｘ）の端部に形成された前記第２係止部（２３１）と係止するように設けられていることを特徴とする請求項１８に記載のブラケット。
【請求項２０】
前記第２係止構造部（５４１）は、前記第１係止構造部（５１１）が前記ハウジング（２）のいずれの前記第１係止部（２２４、２２５）に係止する場合であっても、同一の前記第２係止部（２３１）に係止するように設けられていることを特徴とする請求項１８または請求項１９に記載のブラケット。
【請求項２１】
前記第２係止構造部（５４１）は、前記第２係止部（２３１）と嵌合係止するように設けられていることを特徴とする請求項１８ないし請求項２０のいずれか１つに記載のブラケット。
【請求項２２】
前記第２係止部（２３１）は、内部に前記電動モータ（４）の回転軸（４１）を受ける軸受部（４２）が設けられた突出部（２３１）からなり、
前記第２係止構造部（５４１）は、前記突出部（２３１）に嵌合係止するように設けられていることを特徴とする請求項２１に記載のブラケット。
【請求項２３】
前記第１係止構造部（５１１）は、前記回転軸方向（Ｘ）における前記電動ポンプ（１）の略重心（Ｇ）位置に形成された前記第１係止部（２２４、２２５）と係止するように設けられていることを特徴とする請求項１７ないし請求項２２のいずれか１つに記載のブラケット。
【請求項２４】
前記取付部（９１、９２）に螺子止め係止される第３係止構造部（５３１）と、前記第３係止構造部（５３１）を中心とした回転を抑止するように回り止め係止される第４係止構造部（５３２）とが設けられていることを特徴とする請求項１７ないし請求項２３のいずれか１つに記載のブラケット。
【請求項２５】
屈曲した板材からなり、屈曲部（５５、５６、５７）には補強リブ（５５１、５６１、５７１）が設けられていることを特徴とする請求項１７ないし請求項２４のいずれか１つに記載のブラケット。
【発明の詳細な説明】
【技術分野】
【０００１】
本発明は、流体を送るための電動ポンプ、電動ポンプの取付構造、および電動ポンプに組み合わされるブラケットに関し、特に車両ボディ等の被取付構造体にブラケットを介して取り付けられる電動ポンプ、その電動ポンプの取付構造、および電動ポンプに組み合わされるブラケットに関する。
【背景技術】
【０００２】
従来技術として、下記特許文献１に開示された電動ポンプがある。この電動ポンプはブラケットを備えており、このブラケットを介して、ポンプ本体を車両ボディ等の取付本体の取り付けるようになっている。
【特許文献１】特開２００１−３０４２００号公報
【発明の開示】
【発明が解決しようとする課題】
【０００３】
しかしながら、上記従来技術の電動ポンプでは、取付本体となる構造体に対応したブラケットを設定する必要がある。例えば、車載用の電動ポンプでは、車種によって搭載方向が異なる場合があるため、車種毎に別形状のブラケットを必要とする場合がある。そして、搭載方向によってはブラケット形状が非常に複雑になるという問題がある。
【０００４】
本発明は、上記点に鑑みてなされたものであり、取り付け方向（搭載方向）が異なる場合があってもブラケットを簡素化することが可能な電動ポンプ、その電動ポンプの取付構造、および電動ポンプに組み合わされるブラケットを提供することを目的とする。
【課題を解決するための手段】
【０００５】
上記目的を達成するため、請求項１に記載の発明の電動ポンプでは、
ポンプ部（３）と、
ポンプ部（３）を駆動する電動モータ（４）と、
ポンプ部（３）および電動モータ（４）を収納するハウジング（２）とを有し、
ハウジング（２）に係止されるブラケット（５）を介して構造体（９０）の取付部（９１）に取り付けられる電動ポンプ（１）であって、
ハウジング（２）は、電動モータ（４）の回転軸（４１）方向（Ｘ）に沿った側面部位（２２２、２２３）に、複数の構造体（９０）取付部（９１、９２）の方向に対応して、ブラケット（５）を螺子止め係止する螺子止め係止部（２２４、２２５）をそれぞれ備えることを特徴としている。
【０００６】
これによると、電動ポンプ（１）は、構造体（９０）側の複数の取付部（９１、９２）の方向にそれぞれ対応した螺子止め係止部（２２４、２２５）を備えている。したがって、ブラケット（５）を取り付ける構造体（９０）側の取付部（９１）に対応した螺子止め係止部（２２４）にブラケット（５）を係止して、ブラケット（５）を介して構造体（９０）の取付部（９１）に電動ポンプ（１）取り付けることができる。
【０００７】
このようにすることにより、いずれの取り付け方向の場合であっても、ブラケット（５）を大きく取り回すような構造にする必要がなく、ブラケット（５）を簡素化することが可能となる。
【０００８】
また、請求項２に記載の発明の電動ポンプでは、電動ポンプ（１）のハウジング（２）は、螺子止め係止部（２２４、２２５）からなる第１係止部（２２４、２２５）と、ブラケット（５）を第１係止部（２２４、２２５）とは異なる位置で係止する第２係止部（２３１）とを備えることを特徴としている。
【０００９】
これによると、電動ポンプ（１）のハウジング（２）は、第１係止部（２２４、２２５）および第２係止部（２３１）によりブラケット（５）と確実な係止をすることができる。
【００１０】
また、請求項３に記載の発明の電動ポンプでは、第２係止部（２３１）は、電動モータ（４）回転軸方向（Ｘ）の端部に形成されていることを特徴としている。
【００１１】
これによると、回転軸（４１）方向（Ｘ）に沿った側面部位（２２２、２２３）の第１係止部（２２４、２２５）と、回転軸方向（Ｘ）端部の第２係止部（２３１）とにより、ブラケット（５）を係止することができる。したがって、ブラケット（５）を螺子止め係止した第１係止部（２２２、２２３）を中心に、電動ポンプ（１）が回転することを防止することができる。このようにして、電動ポンプ（１）とブラケット（５）とを一層確実に係止することができる。
【００１２】
また、請求項４に記載の発明の電動ポンプでは、複数の取付部（９１、９２）の方向に対応してそれぞれ設けられた第１係止部（２２４、２２５）のいずれでブラケット（５）を係止する場合であっても、ブラケット（５）は同一の第２係止部（２３１）で係止されることを特徴としている。
【００１３】
これによると、第２係止部（２３１）を取り付け方向に応じてそれぞれ設ける必要がない。したがって、第２係止部（２３１）を取り付け方向に係らず共通化することができる。
【００１４】
また、請求項５に記載の発明の電動ポンプでは、第２係止部（２３１）は、ブラケット（５）を嵌合係止することを特徴としている。
【００１５】
これによると、第２係止部（２３１）におけるブラケット（５）の係止を容易に行なうことができる。
【００１６】
また、請求項６に記載の発明の電動ポンプでは、第２係止部（２３１）は、内部に電動モータ（４）の回転軸（４１）を受ける軸受部（４２）が設けられた突出部（２３１）であることを特徴としている。
【００１７】
これによると、電動モータ（４）回転軸（４１）の軸受部（４２）を設けたハウジング（２）の突出部（２３１）を利用して、ブラケット（５）を嵌合係止する第２係止部（２３１）とすることができる。
【００１８】
また、請求項７に記載の発明の電動ポンプでは、第１係止部（２２４、２２５）は、電動モータ（４）回転軸方向（Ｘ）における電動ポンプ（１）の略重心（Ｇ）位置に形成されていることを特徴としている。
【００１９】
これによると、電動ポンプ（１）に振動等が加わっても、ブラケット（５）を螺子止め係止した第１係止部（２２２、２２３）に大きな応力が付勢され難い。したがって、電動ポンプ（１）とブラケット（５）との係止を安定して行なうことができる。
【００２０】
また、請求項８に記載の発明の電動ポンプの取付構造では、
ポンプ部（３）とこのポンプ部（３）を駆動する電動モータ（４）とを収納するハウジング（２）に係止されるブラケット（５）を介して構造体（９０）の取付部（９１）に取り付けられる電動ポンプ（１）の取付構造であって、
電動ポンプ（１）のハウジング（２）は、電動モータ（４）回転軸（４１）方向（Ｘ）に沿った側面部位（２２２、２２３）に、複数の取付部（９１、９２）方向にそれぞれ対応した螺子止め係止部（２２４、２２５）を備え、これらの螺子止め係止部（２２４、２２５）のうち、ブラケット（５）を取り付ける取付部（９１）に対応した螺子止め係止部（２２４）にブラケット（５）を螺子止め係止したことを特徴としている。
【００２１】
これによると、電動ポンプ（１）は、構造体（９０）側の複数の取付部（９１、９２）の方向にそれぞれ対応した螺子止め係止部（２２４、２２５）を備えている。そして、ブラケット（５）は、ブラケット（５）を取り付ける構造体（９０）側の取付部（９１）に対応した螺子止め係止部（２２４）に係止している。
【００２２】
したがって、取り付け方向に係らず、大きく取り回すような複雑な構造のブラケット（５）を用いることなく、簡単な構造のブラケット（５）を介して構造体（９０）の取付部（９１）に電動ポンプ（１）取り付けることができる。
【００２３】
また、請求項９に記載の発明の電動ポンプの取付構造では、ハウジング（２）は、螺子止め係止部（２２４、２２５）からなる第１係止部（２２４、２２５）と、第１係止部（２２４、２２５）とは異なる位置に設けた第２係止部（２３１）とを備え、ブラケット（５）を、第１係止部（２２４）および第２係止部（２３１）に係止したことを特徴としている。
【００２４】
これによると、電動ポンプ（１）のハウジング（２）とブラケット（５）とを、第１係止部（２２４、２２５）および第２係止部（２３１）により確実に係止することができる。
【００２５】
また、請求項１０に記載の発明の電動ポンプの取付構造では、第２係止部（２３１）は、電動モータ（４）回転軸方向（Ｘ）の端部に形成されていることを特徴としている。
【００２６】
これによると、ブラケット（５）は、電動ポンプハウジング（２）の電動モータ回転軸（４１）方向（Ｘ）に沿った側面部位（２２２、２２３）の第１係止部（２２４、２２５）と、回転軸方向（Ｘ）端部の第２係止部（２３１）とに係止している。したがって、ブラケット（５）を螺子止め係止した第１係止部（２２４、２２５）を中心に電動ポンプ（１）が回転することを防止することができる。このようにして、電動ポンプ（１）とブラケット（５）とを一層確実に係止することができる。
【００２７】
また、請求項１１に記載の発明の電動ポンプの取付構造では、ブラケット（５）を、ブラケット（５）を取り付ける取付部（９１、９２）に対応した第１係止部（２２４、２２５）に係止するとともに、ブラケット（５）を係止した第１係止部（２２４、２２５）がいずれかに係らず、ブラケット（５）を、同一の第２係止部（２３１）に係止したことを特徴としている。
【００２８】
これによると、第２係止部（２３１）を取り付け方向に係らず共通化することができる。
【００２９】
また、請求項１２に記載の発明の電動ポンプの取付構造では、第２係止部（２３１）では、ブラケット（５）を嵌合係止したことを特徴としている。
【００３０】
これによると、第２係止部（２３１）におけるブラケット（５）の係止が容易である。
【００３１】
また、請求項１３に記載の発明の電動ポンプの取付構造では、第２係止部（２３１）では、内部に電動モータ（４）の回転軸（４１）を受ける軸受部（４２）が設けられた突出部（２３１）にブラケット（５）を嵌合係止したことを特徴としている。
【００３２】
これによると、電動モータ（４）回転軸（４１）の軸受部（４２）を設けたハウジング（２）の突出部（２３１）を第２係止部（２３１）として利用して、ブラケット（５）を嵌合係止することができる。
【００３３】
また、請求項１４に記載の発明の電動ポンプの取付構造では、第１係止部（２２４、２２５）を電動モータ（４）回転軸方向（Ｘ）における電動ポンプ（１）の略重心（Ｇ）位置としたことを特徴としている。
【００３４】
これによると、電動ポンプ（１）に振動等が加わっても、ブラケット（５）を螺子止め係止した第１係止部（２２２、２２３）に大きな応力が付勢され難い。したがって、電動ポンプ（１）とブラケット（５）との間に安定した係止構造を形成することができる。
【００３５】
また、請求項１５に記載の発明の電動ポンプの取付構造では、ブラケット（５）は、構造体（９０）取付部（９１）に螺子止め係止されるとともに、螺子止め箇所（５３１、９１ａ）を中心とした回転を抑止する回り止め係止されていることを特徴としている。
【００３６】
これによると、構造体取付部（９１）への螺子止め箇所（５３１、９１ａ）を中心に、ブラケット（５）が回転することを防止することができる。このようにして、ブラケット（５）と構造体（９０）とを確実に係止することができる。
【００３７】
また、請求項１６に記載の発明の電動ポンプの取付構造では、ブラケット（５）は、屈曲した板材からなり、屈曲部（５５、５６、５７）には補強リブ（５５１、５６１、５７１）が設けられていることを特徴としている。
【００３８】
これによると、ブラケット（５）を比較的薄板材で形成したとしても、剛性を確保することが容易である。
【００３９】
また、請求項１７に記載の発明のブラケットでは、
電動ポンプ（１）のハウジング（２）に係止されるとともに、構造体（９０）の取付部（９１）に係止されて、電動ポンプ（１）を取付部（９１）に取り付ける電動ポンプ取付用のブラケットであって、
電動ポンプ（１）ハウジング（２）の電動モータ（４）回転軸方向（Ｘ）に沿った側面部位（２２２、２２３）に複数の取付部（９１、９２）方向にそれぞれ対応して設けられた螺子止め係止部（２２４、２２５）のいずれかに、係止するために設けられた係止構造部（５１１）を備えることを特徴としている。
【００４０】
この発明のブラケットによれば、請求項８に記載の発明の電動ポンプの取付構造を形成することができる。したがって、比較的簡単な構造のブラケット（５）とすることができる。
【００４１】
また、請求項１８に記載の発明のブラケットでは、ハウジング（２）の螺子止め係止部（２２４、２２５）からなる第１係止部（２２４、２２５）と係止するために設けられた前記係止構造部（５１１）からなる第１係止構造部（５１１）と、ハウジング（２）の第１係止部（２２４、２２５）とは異なる位置に設けた第２係止部（２３１）と係止するために設けられた第２係止構造部（５４１）とを備えることを特徴としている。
【００４２】
これによると、ハウジング（２）の第１係止部（２２４、２２５）に第１係止構造部（５１１）を係止させ、ハウジング（２）の第２係止部（２３１）に第２係止構造部（５４１）を係止させて、請求項９に記載の発明の電動ポンプの取付構造を形成することができる。したがって、電動ポンプ（１）ハウジング（２）とブラケット（５）とを確実に係止することができる。
【００４３】
また、請求項１９に記載の発明のブラケットでは、第２係止構造部（５４１）は、ハウジング（２）の電動モータ（４）回転軸方向（Ｘ）の端部に形成された第２係止部（２３１）と係止するように設けられていることを特徴としている。
【００４４】
これによると、請求項１０に記載の発明の電動ポンプの取付構造を形成することができる。したがって、ブラケット（５）を螺子止め係止した第１係止部（２２４、２２５）を中心に電動ポンプ（１）が回転することを防止することができる。このようにして、電動ポンプ（１）とブラケット（５）とを一層確実に係止することができる。
【００４５】
また、請求項２０に記載の発明のブラケットでは、第２係止構造部（５４１）は、第１係止構造部（５１１）がハウジング（２）のいずれの第１係止部（２２４、２２５）に係止する場合であっても、同一の第２係止部（２３１）に係止するように設けられていることを特徴としている。
【００４６】
これによると、請求項１１に記載の発明の電動ポンプの取付構造を形成することができる。したがって、電動ポンプハウジング（２）の第２係止部（２３１）を取り付け方向に係らず共通化することができる。
【００４７】
また、請求項２１に記載の発明のブラケットでは、第２係止構造部（５４１）は、第２係止部（２３１）と嵌合係止するように設けられていることを特徴としている。
【００４８】
これによると、請求項１２に記載の発明の電動ポンプの取付構造を形成することができる。したがって、ハウジング（２）の第２係止部（２３１）とブラケット（５）の第２係止構造部（５４１）との係止が容易である。
【００４９】
また、請求項２２に記載の発明のブラケットでは、ハウジング（２）の第２係止部（２３１）は、内部に電動モータ（４）回転軸（４１）を受ける軸受部（４２）が設けられた突出部（２３１）からなり、第２係止構造部（５４１）は、突出部（２３１）に嵌合係止するように設けられていることを特徴としている。
【００５０】
これによると、請求項１３に記載の発明の電動ポンプの取付構造を形成することができる。したがって、軸受部（４２）を設けたハウジング（２）の突出部（２３１）を第２係止部（２３１）として利用して、ブラケット（５）を嵌合係止することができる。
【００５１】
また、請求項２３に記載の発明のブラケットでは、第１係止構造部（５１１）は、電動モータ（４）回転軸方向（Ｘ）における電動ポンプ（１）の略重心（Ｇ）位置に形成された第１係止部（２２４、２２５）と係止するように設けられていることを特徴としている。
【００５２】
これによると、請求項１４に記載の発明の電動ポンプの取付構造を形成することができる。したがって、電動ポンプ（１）に振動等が加わっても、ブラケット（５）を螺子止め係止した第１係止部（２２２、２２３）に大きな応力が付勢され難い。したがって、電動ポンプ（１）とブラケット（５）との間に安定した係止構造を形成することができる。
【００５３】
また、請求項２４に記載の発明のブラケットでは、取付部（９１、９２）に螺子止め係止される第３係止構造部（５３１）と、第３係止構造部（５３１）を中心とした回転を抑止するように回り止め係止される第４係止構造部（５３２）とが設けられていることを特徴としている。
【００５４】
これによると、ブラケット（５）の第３係止構造部（５３１）を取付部（９１、９２）に螺子止め係止するとともに、第４係止構造部（５３２）を取付部（９１、９２）に回り止め係止して、請求項１５に記載の発明の電動ポンプの取付構造を形成することができる。したがって、構造体取付部（９１）への螺子止め箇所（５３１、９１ａ）を中心に、ブラケット（５）が回転することを防止することができる。このようにして、ブラケット（５）と構造体（９０）とを確実に係止することができる。
また、請求項２５に記載の発明のブラケットでは、屈曲した板材からなり、屈曲部（５５、５６、５７）には補強リブ（５５１、５６１、５７１）が設けられていることを特徴としている。
【００５５】
これによると、ブラケット（５）の剛性を確保し易いので、ブラケット（５）を比較的薄い板材で形成することが可能である。
【００５６】
なお、上記各手段に付した括弧内の符号は、後述する実施形態記載の具体的手段との対応関係を示す一例である。
【発明を実施するための最良の形態】
【００５７】
以下、本発明の実施の形態を図に基づいて説明する。
【００５８】
図１は、本発明を適用した一実施形態におけるブラケット５を含む電動ポンプ１の取付構造を示す斜視図である。また、図２は、電動ポンプ１本体の概略構造を示す斜視図であり、図３は、ブラケット５の概略構造を示す斜視図である。
【００５９】
本実施形態の電動ポンプ１は、車両に搭載されて、内燃機関の冷却水循環回路に冷却水を循環する電動ウォータポンプであり、図１に示すように、ブラケット５を介して、車両側の構造体であるボディ構造体９０に取り付けられるようになっている。
【００６０】
図２に示すように、電動ポンプ１はハウジング２を備えている。ハウジング２は、ポンプハウジング２１、隔壁２２、およびモータハウジング２３により構成されている。
【００６１】
ポンプハウジング２１と隔壁２２とにより構成される空間には、冷却水を吸引吐出するインペラが備えられ、ポンプ部３を形成している。一方、隔壁２２とモータハウジング２３とにより構成される空間には、ポンプ部３を駆動するための電動モータ４が配設されている。
【００６２】
電動モータ４の回転軸４１は、図示上下方向（図示Ｘ方向）に延びており、シール機構を有する隔壁２２を貫通して延設され、ポンプ部３のインペラに接続されている。
【００６３】
ポンプハウジング２３には、図示紙面表側に向かって突出する一対の管状部が形成され、吸入口２１１と吐出口２１２とが開口している。
【００６４】
そして、隔壁２２に挿設されたコネクタ部４３から電動モータ４に給電されると、ポンプ部３が駆動されて、冷却水が吸入口２１１から吸入されて吐出口２１２から吐出されるようになっている。
【００６５】
図２に示すように、ハウジング２の概略形状は、両端を閉塞された回転軸４１方向Ｘに延びる筒状をなしているが、ハウジング２の一部をなす隔壁２２は、ポンプハウジング２１とモータハウジング２３とに挟持された平板状部２２１が、モータハウジング２３より、図示左右方向（回転軸方向Ｘに直交する方向Ｙ）に張り出している。
【００６６】
そして、隔壁２２には、モータハウジング２３の図示左右両側において、平板状部２２１から回転軸方向Ｘに延びる一対の延設部２２２、２２３が設けられている。延設部２２２、２２３には、それぞれ、径外方向から雄螺子を螺合可能な第１雌螺子部２２４および第２雌螺子部２２５が形成されている。
【００６７】
したがって、第１、第２雌螺子部２２４、２２５は、ハウジング２の側面部位に形成されていると言うことができる。
【００６８】
なお、図２に示すように、両雌螺子部２２４、２２５は、電動ポンプ１の重心Ｇの外方で重心Ｇと同一の高さに形成されている。換言すれば、両雌螺子部２２４、２２５は、回転軸方向Ｘにおける重心Ｇ位置に形成されている。
【００６９】
本実施形態では、ポンプハウジング２１は樹脂を成形加工して形成し、隔壁２２はアルミニウム合金を鋳造加工して形成している。また、モータハウジング２３は鉄製板材をプレス加工して形成している。
【００７０】
電動ポンプ１の重心Ｇは、モータハウジング２３内にあるものの、板材からなるモータハウジング２３に雌螺子部２２４、２２５を形成することは難しい。そこで、比較的加工形状自由度が高い隔壁２２に延設部２２２、２２３を設け、この延設部２２２、２２３に両雌螺子部２２４、２２５を形成している。
【００７１】
モータハウジング２３は、回転軸方向Ｘの上端部側に円筒形状の突出部２３１を備えている。この突出部２３１は、内部に電動モータ４の回転軸４３の上端部を受ける軸受部４２が装着されている（図４参照）。
【００７２】
ここで、隔壁２２に設けられた第１、第２雌螺子部２２４、２２５は、本実施形態における螺子止め係止部であり、第１係止部に相当する。また、モータハウジング２３に設けられた突出部２３１は、本実施形態における嵌合係止部であり、第２係止部に相当する。
【００７３】
第１係止部である第１雌螺子部２２４と第２雌螺子部２２５とは、第２係止部である突出部２３１を基準として、回転軸方向Ｘにおける距離および回転軸直交方向Ｙにおける距離が、それぞれ同一となっている。
【００７４】
図３に示すように、電動ポンプ１に組み合わされるブラケット５は、鉄製の板材をプレス加工して製造されており、プレス時に曲折されて、第１平面部５１、第２平面部５２、第３平面部５３、および第４平面部５４の４つの平面部を有している。
【００７５】
ブラケット５の第１平面部５１には、図示紙面表側から裏側に向かって大きく切り欠かれた形状の湾入部５１１が形成されている。この湾入部５１１は、奥まった部位が後述するグロメット７の装着部となる部位であって、紙面手前側の切欠開口幅を装着部幅より小さくして脱落防止構造を形成している。
【００７６】
この湾入部５１１は、前述の隔壁２２の雌螺子部２２４、２２５に、ボルト等によりブラケット５を係止するときの係止構造部をなす部位である。
【００７７】
一方、第４平面部５４には、前述したモータハウジング２３の突出部２３１に嵌合するための嵌合部（嵌合口）５４１が設けられている。
【００７８】
嵌合部５４１は、開口周囲から図示下方に向かって立ち起こされた周状の立起し部５４２を備えている。この立起し部５４２には、後述するブッシュ８が装着可能となっており、ブッシュ８を介在して、突出部２３１と嵌合部５４１とが嵌合できるようになっている。
【００７９】
ブラケット５の第３平面部５３には、ボディ構造体９０にブラケット５を係止するためのボルト穴（第３係止構造部に相当）５３１と、係止爪（第４係止構造部）５３２とが設けられている。
【００８０】
ブラケット５において、第１平面部５１と第２平面部５２との接続部である曲折部（屈曲部）５５、第２平面部５２と第３平面部５３との接続部である曲折部（屈曲部）５６、および第３平面部５３と第４平面部５４との接続部である曲折部（屈曲部）５７には、それぞれの曲折内側に補強リブ５５１、５６１、５７１が形成されている。
【００８１】
これにより、ブラケット５を比較的薄い（本例では厚さ約１ｍｍ）の鉄製の板材から形成しても、取付部材として必要な高い剛性を確保している。
【００８２】
次に、図１に示すように、電動ポンプ１とブラケット５とを組付ける手順について説明する。なお、図４は、図１におけるＡ部縦断面図であり、図５は、図１におけるＢ部縦断面図である。
【００８３】
電動ポンプ１とブラケット５とを組付けるときには、まず、モータハウジング２３の突出部２３１に、ブラケット５第４平面部５４の嵌合部５４１を嵌合係止する。
【００８４】
このとき、図４に示すように、嵌合部５４１の立起し部５４２には、ゴム製のブッシュ８が装着されている。したがって、モータハウジング２３の突出部２３１とブラケット５の嵌合部５４１とは、緩衝部材であるブッシュ８を介在して嵌合係止される。
【００８５】
そして、次に、隔壁２２延設部２２２の第１雌螺子部２２４に、ブラケット５の湾入部５１１が形成された第１平面部５１をボルト６で螺子止め係止する。
【００８６】
このとき、図５に示すように、ブラケット５湾入部５１１には、ゴム製のグロメット７が装着されており、ボルト６は、グロメット７内を挿通して第１雌螺子部２２４に螺子止めされる。したがって、隔壁２２の延設部２２２とグロメット５の第１平面部５１とは、緩衝部材であるグロメット7を介して螺子止め係止される。
【００８７】
この螺子止め係止部において、図５に示す符号７１を付した部材はインサートであり、インサート７１は、ボルト６の螺子締めによりグロメット７を確実に押圧保持するとともに、螺子締め方向におけるグロメット７の圧縮過多を防止するように設けられている。
【００８８】
次に、電動ポンプ１とブラケット５との組立体をボディ構造体９０に取り付ける手順について説明する。
【００８９】
図１に示すように、ボディ構造体９０の取付部９１には、螺子穴９１ａと爪受け孔９１ｂが形成されている。螺子穴９１ａは、ブラケット５第３平面部５３のボルト穴５３１に対応して設けられた雌螺子穴であり、爪受け孔９１ｂは、ブラケット５第３平面部５３の係止爪５３２に対応して設けられた係止孔である。
【００９０】
電動ポンプ１とブラケット５との組立体をボディ構造体９０に取り付けるときには、まず、ブラケット５の係止爪５３２をボディ構造体９０取付部９１の爪受け部９１ｂ内に挿入係止する。次に、ブラケット５のボルト穴５３１と取付部９１の螺子穴９１ａとの位置を合わせ、ボルト９１ｃをボルト穴５３１に挿設して螺子穴９１ａにねじ込む。
【００９１】
ここで、電動ポンプ１の搭載方向が異なる場合の、電動ポンプ１とブラケット５との組付け、および電動ポンプ１ブラケット５組立体のボディ構造体９０への取り付けについて説明する。
【００９２】
図６は、電動ポンプ１の取付位置がボディ構造体９０の取付部９２となった場合を図示している。
【００９３】
図６に示すように、電動ポンプ１とブラケット５とを組付けるときには、まず、モータハウジング２３の突出部２３１（図２、４参照）に、ブラケット５第４平面部５４の嵌合部５４１を、ブッシュ８を介在させて嵌合係止する。
【００９４】
そして、次に、隔壁２２延設部２２３の第２雌螺子部２２５（図１、２参照）に、ブラケット５の湾入部５１１が形成された第１平面部５１を、グロメット７を介在させてボルト６で螺子止め係止する。
【００９５】
電動ポンプ１の隔壁２２には、２つの雌螺子部２２４、２２５が設けられているが、第１雌螺子部２２４は、取付部９１に対応した第１係止部であり、第２雌螺子部２２５は、取付部９２に対応した第１係止部である。そして、モータハウジング２３の突出部２３１は、両取付部９１、９２に対し共通の第２係止部である。
【００９６】
電動ポンプ１とブラケット５との組立体を形成したら、この組立体をボディ構造体９０の取付部９２に取り付ける。
【００９７】
図６に示すように、ボディ構造体９０の取付部９２には、取付部９１と同様に、螺子穴９２ａと爪受け孔９２ｂが形成されている。螺子穴９２ａは、ブラケット５第３平面部５３のボルト穴５３１に対応して設けられた雌螺子穴であり、爪受け孔９２ｂは、ブラケット５第３平面部５３の係止爪５３２に対応して設けられた係止孔である。
【００９８】
電動ポンプ１とブラケット５との組立体をボディ構造体９０取付部９２に取り付けるときには、まず、ブラケット５の係止爪５３２をボディ構造体９０取付部９２の爪受け部９２ｂ内に挿入係止する。次に、ブラケット５のボルト穴５３１と取付部９２の螺子穴９２ａとの位置を合わせ、ボルト９１ｃをボルト穴５３１に挿設して螺子穴９２ａにねじ込む。
【００９９】
上述の構成、および組付け方法、取付方法によれば、電動ポンプ１をボディ構造体９０に取り付けるときに、取付部９１に取り付ける場合には、第１雌螺子部２２４を第１係止部とし突出部２３１を第２係止部として電動ポンプ１にブラケット５を係止し、このブラケット５を介して取り付けることができる。
【０１００】
また、電動ポンプ１を取付部９２に取り付ける場合には、第２雌螺子部２２５を第１係止部とし突出部２３１を第２係止部として電動ポンプ１にブラケット５を係止し、このブラケット５を介して取り付けることができる。
【０１０１】
仮に、電動ポンプの第１係止部が第１雌螺子部２２４のみであったとすると、取付部９１に取り付ける場合と、取付部９２に取り付ける場合とでは、ブラケットの形状をそれぞれに対応して変更する必要があり、特に取付部９２に取り付ける場合には、ブラケットの形状は複雑なものとなってしまう。
【０１０２】
本実施形態によれば、構造体９０側の取付部位が、取付部９１、９２のいずれであっても、比較的構造がシンプルな共通のブラケット５により取り付けることができる。
【０１０３】
また、ブラケット５は、電動ポンプ１ハウジング２の電動モータ４回転軸方向Ｘに沿った側面部位の一部である延設部２２２、２２３の第１係止部（第１、第２雌螺子部２２４、２２５）と、回転軸方向Ｘ端部の第２係止部（突出部２３１）とに係止している。したがって、ブラケット５を螺子止め係止した第１係止部を中心に電動ポンプ１が回転することを防止することができる。このようにして、電動ポンプ１とブラケット５とを確実に係止することができる。
【０１０４】
また、第１係止部ではブラケット５を螺子止め係止し、第２係止部ではブラケット５を嵌合係止している。したがって、螺子止め部は1箇所であるので、電動ポンプ１へのブラケット５の係止は極めて容易である。
【０１０５】
さらに、ブラケット５を螺子止め係止する電動ポンプ１の第１係止部は、電動モータ回転軸方向Ｘにおける電動ポンプ１の重心Ｇ位置としている。したがって、電動ポンプ１に振動等が加わっても、ブラケット５を螺子止め係止した第１係止部に大きな応力が付勢され難く、電動ポンプ１とブラケット５との係止構造は安定したものとすることができる。
【０１０６】
また、電動ポンプ１の第２係止部は、内部に電動モータ４回転軸４１を受ける軸受部４２が設けられたモータハウジング２３の突出部２３１を利用しているので、専用の係止部を設ける必要がない。
【０１０７】
また、ブラケット５は、構造体９０取付部９１、９２対して、ボルト９１ｃにより螺子止め係止されるとともに、係止爪５３２によって螺子止め箇所を中心とした回転を抑止する回り止め係止されている。したがって、ブラケット５を構造体９０に容易かつ確実に係止することができる。
【０１０８】
（他の実施形態）
上記一実施形態では、電動ポンプ１の第２係止部を、ハウジング２の回転軸方向Ｘの上方側端部であるモータハウジング２３の突出部２３１としたが、反対側の端部に設けるものであってもよい。例えば、図７に示すように、ハウジング２の回転軸方向Ｘの下方側端部に突出部２１３を設け、この突出部２１３を第２係止部としたものであってもよい。
【０１０９】
また、搭載条件等により、回転軸方向Ｘの端部に第２係止部を形成できない場合には、ハウジング２の他の部位に第２係止部を設けてもかまわない。例えば、図８に示すように、モータハウジング２３に径外方向に突出する一対の突出部２３２（背面側図示省略）を設け、この突出部２３２を第２係止部としてもよい。
【０１１０】
また、第２係止部は、突出部に限らず、凹部形状に形成し、ブラケット側に設けた凸部と嵌合係止するものであってもよい。
【０１１１】
また、電動ポンプ１とブラケット５との係止を一層強固なものとする場合には、第２係止部を螺子止め係止するものとしてもかまわない。
【０１１２】
また、上記一実施形態では、２つの第１係止部は、第２係止部を基準とする回転軸方向Ｘおよび回転軸直交方向Ｙの距離をそれぞれ同一として、取付方向によらず共通のブラケット５を用いていたが、搭載条件等により取付方向によって若干異なるブラケットを採用するものであってもよい。
【０１１３】
また、上記一実施形態では、第１係止部は、第１、第２雌螺子部２２４、２２５の２つであったが、搭載方向に応じて３つ以上設定するものであってもよい。また、第１係止部は雌螺子部に限定されず、雄螺子部であってもかまわない。
【０１１４】
また、上記一実施形態では、第１係止部である第１、第２雌螺子部２２４、２２５は、隔壁２２の延設部２２２、２２３に設けていたが、ハウジング２の側面部位であればこれに限定されるものではない。ただし、電動ポンプ１の回転軸方向Ｘにおける重心Ｇ近傍に設けることが好ましい。
【０１１５】
また、上記一実施形態では、電動ポンプ１のハウジング２は、ポンプハウジング２１、隔壁２２、およびモータハウジング２３により構成されていたが、これに限定されるものではなく、２つもしくは４つ以上の部材により構成されるものであってもよい。
【０１１６】
また、上記一実施形態では、電動ポンプ１は内燃機関の冷却水を吸入吐出する電動ウォータポンプであったが、吸入吐出する流体は冷却水に限定されるものではない。また、電動ポンプは車載用に限定されるものではない。例えば、定置式の電動流体ポンプであっても、本発明を適用して有効である。
【図面の簡単な説明】
【０１１７】
【図１】本発明を適用した一実施形態におけるブラケット５を含む電動ポンプ１の取付構造を示す斜視図であり、構造体９０の取付部９１に取り付けられる場合を示している。
【図２】電動ポンプ１単体の概略構造を示す斜視図である。
【図３】ブラケット５単体の概略構造を示す斜視図である。
【図４】図１におけるＡ部の縦断面図である。
【図５】図１におけるＢ部の縦断面図である。
【図６】ブラケット５を含む電動ポンプ１の取付構造を示す斜視図であり、構造体９０の取付部９２に取り付けられる場合を示している。
【図７】他の実施形態における電動ポンプの概略構造を示す斜視図である。
【図８】他の実施形態における電動ポンプの概略構造を示す斜視図である。
【符号の説明】
【０１１８】
１  電動ポンプ
２  ハウジング
３  ポンプ部
４  電動モータ
５  ブラケット
２１  ポンプハウジング（ハウジングの一部）
２２  隔壁（ハウジングの一部）
２３  モータハウジング（ハウジングの一部）
４１  回転軸
４２  軸受部
９０  ボディ構造体（構造体）
９１、９２  取付部
２２２、２２３  延設部（ハウジング２の側面部位の一部）
２２４  第１雌螺子部（螺子止め係止部、第１係止部）
２２５  第２雌螺子部（螺子止め係止部、第１係止部）
２３１  突出部（嵌合係止部、第２係止部）
５１１  湾入部（係止構造部、第１係止構造部）
５３１  ボルト穴（第３係止構造部）
５３２  係止爪（第４係止構造部）
５４１  嵌合部（第２係止構造部）
Ｘ  回転軸方向
Ｇ  重心（電動ポンプの重心）
【図１】
2007023939.tif 000003
【図２】
2007023939.tif 000004
【図３】
2007023939.tif 000005
【図４】
2007023939.tif 000006
【図５】
2007023939.tif 000007
【図６】
2007023939.tif 000008
【図７】
2007023939.tif 000009
【図８】
2007023939.tif 000010